(57)【要約】  【課題】  搬送色信号の電界状態の変化によらず、安定したキラー検出、及び色差出力を得ることのできる色振復調回路を提供する。  【解決手段】  テレビジョン信号が通常の電界状態である場合、セレクタ２５は、ＡＣＣ回路２１の出力を用いて帯域通過フィルタ２０出力を振幅調整する乗算器２２出力をクロマキラー生成回路２００に接続する。しかしながら、テレビジョン信号が弱電界状態でＡＣＣ回路１１出力が非安定状態となる期間には、弱電界状態モニタ信号を用いて帯域通過フィルタ２０出力を振幅調整する乗算器２４出力をクロマキラー生成回路２００に接続する。色差出力復調回路２９は、乗算器２２出力から色差信号を復調し、クロマキラー生成回路２００からのクロマキラー信号がＯＮの場合、色差出力を止める。【選択図】  図４
2010093848.tif 000002
【特許請求の範囲】
【請求項１】
搬送色信号から色差信号を復調する色復調回路であって、
上記搬送色信号の振幅を増幅する第１の増幅回路と、
入力される搬送色信号に応じて上記第１の増幅回路の増幅度を可変制御するＡＣＣ回路と、
上記搬送色信号の振幅を増幅する第２の増幅回路と、
上記搬送色信号の電界強度に基づいて上記第２の増幅回路の増幅度を設定する制御回路と、
上記搬送色信号の電界強度に基づいて上記第１の増幅回路出力または上記第２の増幅回路出力を選択するセレクタと、
上記ＡＣＣ回路出力から上記搬送色信号のバースト部分の振幅レベルの検知を行うとともに、上記セレクタ出力から上記搬送色信号のバースト部分の位相ずれの検知を行い、該検知結果に基づいてクロマキラー信号を生成するクロマキラー生成回路と、
上記第１の増幅回路から色差信号を復調する色差出力復調回路と、を備えた、
ことを特徴とする色復調回路。
【請求項２】
請求項１に記載の色復調回路において、
上記セレクタは、
上記搬送色信号が予め設定された電界強度よりも強いときは、上記第１の増幅回路出力を選択し、上記搬送色信号が予め設定された電界強度よりも弱いときは、上記第２の増幅回路出力を選択するものである、
ことを特徴とする色復調回路。
【発明の詳細な説明】
【技術分野】
【０００１】
本発明は、テレビ信号処理の色復調回路におけるＡＣＣ(Automatic Chroma Control)回路およびクロマキラー制御に関するものである。
【背景技術】
【０００２】
従来の色復調回路は、テレビジョン信号のデジタル搬送色信号のバースト部分を検出し、検出したバースト部分の振幅レベルが予め設定した色信号振幅レベルになるよう自動制御する回路（以降ＡＣＣ回路とし、例えば特許文献１のような回路）と、該ＡＣＣ回路出力後のバースト信号の位相ずれまたは振幅レベルを検出し、クロマキラーをかける回路とを備えており、このような色復調回路の概略構成を図６に示す。
【０００３】
図６に示す色復調回路は、帯域通過フィルタ１、ＡＣＣ回路２、乗算器３、位相キラー検出回路４、振幅キラー検出回路５、クロマキラー制御回路６、及び色差出力復調回路７を備えたものである。
【０００４】
上記帯域通過フィルタ１は、デジタル搬送色信号から色成分を抜き取る。
上記ＡＣＣ回路２は、上記搬送色信号のバースト部分の信号振幅を、色レベル設定信号により設定されたレベルになるよう自動制御する。
上記乗算器３は、上記帯域通過フィルタ１出力と上記ＡＣＣ回路２出力とを乗算する。
【０００５】
上記位相キラー検出回路４は、上記乗算器３出力から振幅調整された搬送色信号のバースト部分の位相ずれに基づいて位相キラー検出信号を出力する。
【０００６】
上記振幅キラー検出回路５は、上記ＡＣＣ回路２出力から振幅調整された搬送色信号のバースト部分の振幅レベルに基づいて振幅キラー検出信号を出力する。
【０００７】
上記クロマキラー制御回路６は、上記位相キラー検出回路４から出力される位相キラー検出信号、及び上記振幅キラー検出回路５から出力される振幅キラー検出信号に基づいてクロマキラー信号を出力する。
【０００８】
上記色差出力復調回路７は、上記クロマキラー信号に基づいて乗算器３出力から色差信号（Ｒ−Ｙ信号、Ｂ−Ｙ信号）を復調し出力する。
【０００９】
次に、従来の色復調回路の動作について説明する。
帯域通過フィルタ１では、入力された搬送色信号から色成分を抜き取り、乗算器３にてＡＣＣ回路２出力で乗ぜられる。このＡＣＣ回路２では、色レベル設定信号により予め設定された色信号振幅（色レベル）を常に保つように、乗算器３出力の結果をフィードバックしながら帯域通過フィルタ１出力の振幅に連動した値を出力する。つまり、上記ＡＣＣ回路２および上記乗算器３により、常に色レベル設定信号により設定された色レベルに振幅調整された搬送色信号を位相キラー検出回路４、及び色差出力復調回路７に出力する。
【００１０】
位相キラー検出回路４では、上記乗算器３出力から振幅調整された搬送色信号のバースト部分の位相状態を検出し、このバースト位相が一定の位相状態を保っていなければ位相キラー検出信号を出力する。また、振幅キラー検出回路５では、上記ＡＣＣ回路２出力から振幅調整された搬送色信号のバースト部分の振幅を検出し、このバースト振幅が一定のレベルまでに達していなければ振幅キラー検出信号を出力する。
【００１１】
クロマキラー制御回路６では、上記位相キラー検出回路４から出力される位相キラー検出信号、および上記振幅キラー検出回路５から出力される振幅キラー検出信号に基づいてクロマキラー信号を色差出力復調回路７に出力する。
【００１２】
色差出力復調回路７では、上記クロマキラー制御回路６から出力されるクロマキラー信号に基づいて入力搬送色信号のバースト信号状態を検知し、該バースト信号状態に基づいて上記乗算器３出力からＲ−Ｙ信号、及びＢ−Ｙ信号を復調する。
【先行技術文献】
【特許文献】
【００１３】
【特許文献１】特開平０８−１０７５４９号公報
【発明の概要】
【発明が解決しようとする課題】
【００１４】
しかしながら、上記従来のＡＣＣ回路２では、ＡＣＣ回路２に入力されるバースト信号に瞬間的な変動が生じた場合、例えば、図３（ａ）に示すような、バースト信号が有る状態と無い状態が時間的に変化している搬送色信号が色復調回路に入力された場合、入力搬送色信号のバースト部分の信号振幅の状態および乗算器３出力の状態に基づいて乗算器３の乗数を決定するＡＣＣ回路２内の演算結果が安定するまでに時間を要するため、ＡＣＣ回路２出力の状態は、バースト信号あり／なしの変化点、またはバースト信号なしの状態のときに非安定状態になる。
【００１５】
また、バースト信号が無い状態の搬送色信号が色復調回路に入力された場合、バースト信号振幅レベルを予め設定した色信号振幅に自動制御するというＡＣＣ回路２の動作が不可能なため、ＡＣＣ回路２出力は非安定状態になる。従って、ＡＣＣ回路２出力の状態が非安定状態のときは色差出力復調回路７から出力されるＲ−Ｙ信号およびＢ−Ｙ信号も急激な変化によってテレビ画面上にノイズとして確認され、またＡＣＣ回路２出力は振幅キラー検出回路５にも直結するため、振幅キラーの誤検出も起こりうる。
【００１６】
さらに、従来の色復調回路では、ＡＣＣ回路２は、入力振幅レベルによらず常に一定振幅レベルの搬送色信号を出力するものであるが、搬送色信号の電界強度が弱電界のような微小入力を乗算器３に与えた場合、ＡＣＣ回路２の自動色制御機能により、ＡＣＣ回路２出力は大きくなってしまい、さらなる微小入力を乗算器３に与えると、ＡＣＣ回路２出力は飽和してしまう。その結果、搬送色信号を一定振幅レベルに保てなくなる。さらに乗算器３への入力が小さくなりすぎると、振幅レベルが減衰していく。この状態で位相キラー検出を実施した場合、バースト振幅をもとに位相キラー検出を行う従来の構成では、位相は正しいにも関わらず、位相キラーを検出しまうという、位相キラーの誤検出が生じていた。
【００１７】
このように従来の色復調回路では、搬送色信号の電界状態の変化に対応できず、安定したキラー検出、及び色差出力を行うのが困難であった。
【００１８】
本発明は、上記従来の問題点を解消するためになされたものであり、搬送色信号の電界状態の変化に関わらず、安定した色差復調を行うことのできる色復調回路を提供することを目的とする。
【課題を解決するための手段】
【００１９】
上記課題を解決するために、本発明の請求項１に記載の色復調回路は、搬送色信号から色差信号を復調する色復調回路であって、上記搬送色信号の振幅を増幅する第１の増幅回路と、入力される搬送色信号に応じて上記第１の増幅回路の増幅度を可変制御するＡＣＣ回路と、上記搬送色信号の振幅を増幅する第２の増幅回路と、上記搬送色信号の電界強度に基づいて上記第２の増幅回路の増幅度を設定する制御回路と、上記搬送色信号の電界強度に基づいて上記第１の増幅回路出力または上記第２の増幅回路出力を選択するセレクタと、上記ＡＣＣ回路出力から上記搬送色信号のバースト部分の振幅レベルの検知を行うとともに、上記セレクタ出力から上記搬送色信号のバースト部分の位相ずれの検知を行い、該検知結果に基づいてクロマキラー信号を生成するクロマキラー生成回路と、上記第１の増幅回路から色差信号を復調する色差出力復調回路と、を備えたことを特徴とするものである。
【００２０】
また、本発明の請求項２に記載の色復調回路は、請求項１に記載の色復調回路において、上記セレクタは、上記搬送色信号が予め設定された電界強度よりも強いときは、上記第１の増幅回路出力を選択し、上記搬送色信号が予め設定された電界強度よりも弱いときは、上記第２の増幅回路出力を選択するものである、ことを特徴とするものである。
【発明の効果】
【００２１】
本発明の請求項１に記載の色復調回路によれば、搬送色信号から色差信号を復調する色復調回路であって、上記搬送色信号の振幅を増幅する第１の増幅回路と、入力される搬送色信号に応じて上記第１の増幅回路の増幅度を可変制御するＡＣＣ回路と、上記搬送色信号の振幅を増幅する第２の増幅回路と、上記搬送色信号の電界強度に基づいて上記第２の増幅回路の増幅度を設定する制御回路と、上記搬送色信号の電界強度に基づいて上記第１の増幅回路出力または上記第２の増幅回路出力を選択するセレクタと、上記ＡＣＣ回路出力から上記搬送色信号のバースト部分の振幅レベルの検知を行うとともに、上記セレクタ出力から上記搬送色信号のバースト部分の位相ずれの検知を行い、該検知結果に基づいてクロマキラー信号を生成するクロマキラー生成回路と、上記第１の増幅回路から色差信号を復調する色差出力復調回路と、を備えたことより、入力搬送色信号の電界強度を検知しながら、位相キラー検出回路に入力される増幅器回路出力を切り替えることができ、電界強度に基づいた位相キラー検出が可能になり、位相キラーの誤検出を防ぐことを可能とする。
【００２２】
また、本発明の請求項２に記載の色復調回路によれば、請求項１に記載の色復調回路において、上記セレクタは、上記搬送色信号が予め設定された電界強度よりも強いときは、上記第１の増幅回路出力を選択し、上記搬送色信号が予め設定された電界強度よりも弱いときは、上記第２の増幅回路出力を選択するものであるので、入力搬送色信号の電界強度が弱電界状態である場合に、ＡＣＣ回路出力に依存しない増幅回路で振幅調整された搬送色信号を位相キラー検出回路に入力することができ、位相キラーの誤検出を防ぐことができる。
【図面の簡単な説明】
【００２３】
【図１】本発明の実施の形態１の色復調回路の構成を示す図である。
【図２】上記実施の形態１の色復調回路における、ＣＰＵの動作を説明するためのフローチャート図である。
【図３】上記実施の形態１の色復調回路によるクロマキラー制御を説明するための図である。
【図４】本発明の実施の形態２の色復調回路の構成を示す図である。
【図５】上記実施の形態２の色復調回路における、ＣＰＵの動作を説明するためのフローチャート図である。
【図６】従来の色復調回路の構成を示す図である。
【発明を実施するための形態】
【００２４】
以下に、本発明にかかる実施の形態について図面を参照しながら説明する。
（実施の形態１）
図１は、本発明の実施の形態１にかかる色復調回路の概略構成を示す図である。
【００２５】
図１に示す色復調回路は、帯域通過フィルタ１０、ＡＣＣ回路１１、第１の増幅器（乗算器）１２、制御回路（ＣＰＵ）１３、第２の増幅器（乗算器）１４、セレクタ１５、クロマキラー生成回路１００、及び色差出力復調回路１９を備えたものである。
【００２６】
上記帯域通過フィルタ１０は、デジタル搬送色信号から色成分を抜き取る。
上記ＡＣＣ回路１１は、デジタル搬送色信号のバースト部分の信号振幅を検出し、該検出したバースト信号振幅が、予めレベル設定信号により設定されたレベルになるよう自動制御する。
【００２７】
上記乗算器１２は、上記帯域通過フィルタ１０出力と上記ＡＣＣ回路１１出力とを乗算する。
【００２８】
上記ＣＰＵ１３は、ＡＣＣ回路１１出力及びクロマキラー信号をモニタし、ＡＣＣモニタ信号、及び切替信号を出力する。ＡＣＣモニタ信号とは、乗算器１４に入力される乗数を示し、この乗数は、色レベル設定信号＝ＡＣＣ回路１１の出力（乗算器１２の乗数）×帯域通過フィルタ１０の出力、の関係が成り立つように決定されるものである。
【００２９】
上記乗算器１４は、上記帯域通過フィルタ１０出力と上記ＡＣＣモニタ信号とを乗算する。
上記セレクタ１５は、上記ＣＰＵ１３から出力される切替信号に基づいて上記乗算器１２出力または上記乗算器１４出力を選択する。
【００３０】
上記クロマキラー生成回路１００は、クロマキラー信号の生成、出力を行うものであり、位相キラー検出回路１６と振幅キラー検出回路１７とクロマキラー制御回路１８とを有する。上記位相キラー検出回路１６は、上記乗算器１２出力（振幅調整された搬送色信号）のバースト部分の位相状態を検出し、このバースト位相が一定の位相状態を保っていなければ位相キラー検出信号を出力する。上記振幅キラー検出回路１７は、上記ＡＣＣ回路１１出力から振幅調整された搬送色信号のバースト部分の振幅を検出し、このバースト振幅が一定のレベルまでに達しなければ振幅キラー検出信号を出力する。上記クロマキラー制御回路１８は、上記位相キラー検出信号、及び上記振幅キラー検出信号に基づいてバースト信号状態を判断し、クロマキラー信号を出力する。
【００３１】
上記色差出力復調回路１９は、上記クロマキラー生成回路１００にて生成したクロマキラー信号に基づいて、セレクタ１５で選択された信号から色差信号（Ｒ−Ｙ信号、Ｂ−Ｙ信号）を復調し出力する。
【００３２】
次に、本実施の形態１の色復調回路の動作について説明する。
色復調回路に入力された搬送色信号は、帯域通過フィルタ１０にて色成分が抜き取られる。抜き取られた色成分は、ＡＣＣ回路１１及び乗算器１２により振幅調整される。振幅調整された信号（乗算器１２出力）は、位相キラー検出回路１６及びセレクタ１５に入力される。また、ＡＣＣ回路１１出力は、振幅キラー検出回路１７に入力される。
【００３３】
位相キラー検出回路１６では、上記乗算器１２出力（振幅調整された搬送色信号）について位相キラー検出を行い、振幅キラー検出回路１７では、上記ＡＣＣ回路１１出力について振幅キラー検出を行う。そして、クロマキラー制御回路１８では、上記位相キラー検出、及び上記振幅キラー検出の結果に基づき、クロマキラー信号が生成される。
【００３４】
ＣＰＵ１３では、上記クロマキラー制御回路１８から出力されるクロマキラー信号がＯＦＦの場合は、乗算器１２出力を選択するよう切替信号をセレクタ１５に出力する。また、上記クロマキラー制御回路１８から出力されるクロマキラー信号がＯＮの場合は、クロマキラー信号がＯＮになる直前のＡＣＣ回路１１出力を、ＡＣＣモニタ信号として乗算器１４に出力するとともに、乗算器１４出力を選択するよう切替信号をセレクタ１５に出力する。
【００３５】
色差出力復調回路１９では、セレクタ１５出力から色差信号（Ｒ−Ｙ信号、Ｂ−Ｙ信号）を復調し出力する。
【００３６】
次に、本実施の形態１の色復調回路における、ＣＰＵ１３の動作について図２及び図３を用いて説明する。図２は、ＣＰＵ１３の動作を説明するためのフローチャート図である。図３は、本実施の形態１の色復調回路における信号波形図であり、（ａ）は搬送色信号、（ｂ）はクロマキラー信号、（ｃ）はＡＣＣ回路１１出力の状態、（ｄ）は切替信号の状態、を示している。
【００３７】
まず、ＡＣＣ回路１１出力の値を読み込み、セットする（ステップＳ１０１）。また、クロマキラー生成回路１００からクロマキラー信号を読み込み（ステップＳ１０２）、クロマキラー信号を監視する（ステップＳ１０３）。
【００３８】
ステップＳ１０３において、クロマキラー信号がＯＦＦのままで状態変化が検出されない場合、すなわち、正常な搬送色信号が色復調回路に入力された場合は、ＡＣＣ回路１１出力は安定しているため、乗算器１２出力を選択するよう切替信号をセレクタ１５に出力する（ステップＳ１０４）。
【００３９】
一方、ステップＳ１０３において、クロマキラー信号の状態変化を検出した場合、すなわち、図３（ａ）に示すような、バースト信号のあり／なしが時間的に変化している搬送色信号が色復調回路に入力された場合、該クロマキラー信号の変化がＯＦＦからＯＮへの変化であるのか、ＯＮからＯＦＦへの変化であるのかを確認する（ステップＳ１０５）。
【００４０】
ステップＳ１０５において、上記クロマキラー信号のＯＦＦからＯＮへの変化を検出した場合、すなわち、搬送色信号のバースト部分が有りから無しの状態に変化した場合、ステップ１０１にてセットした値を乗数（ＡＣＣモニタ信号）として乗算器１４に出力し（ステップＳ１０６）、セレクタ１５に対し、乗算器１４の出力を選択するよう切替信号を出力する（ステップＳ１０７）。
【００４１】
また、ステップＳ１０５において、上記クロマキラー信号のＯＮからＯＦＦへの変化を検出した場合、すなわち、搬送色信号のバースト部分が無しから有りの状態に変化した場合、ＡＣＣ回路１１出力の状態は、バースト信号の急激な変化により、安定するまでに時間がかかるため、クロマキラー信号がＯＮからＯＦＦに変化してからＡＣＣ回路１１出力の状態が安定するまでの所定の時間を待ってから（ステップＳ１０８）、乗算器１２出力を選択するようセレクタ１５に切替信号を出力する（ステップＳ１０９）。
【００４２】
このような実施の形態１では、ＡＣＣ回路１１出力に依存しない別の乗算器１４を設け、乗算器１４の入力には帯域通過フィルタ１０出力およびＡＣＣモニタ信号を接続し、ＡＣＣ回路１１出力の状態に基づいて乗算器１２と乗算器１４とを切替えるようにしたので、例えば、入力された搬送色信号のバースト信号ありなしの時間的変化に対してＡＣＣ回路１１出力が非安定状態の場合、ＡＣＣ回路１１出力に依存しない乗算器１４出力を、色差出力復調回路１９に入力して色差信号に復調し、ＡＣＣ回路１１出力の状態にかかわらず、一定振幅の搬送色信号を色差出力復調回路１９に安定して供給することができ、その結果、Ｒ−Ｙ信号とＢ−Ｙ信号に安定した出力を得るとともに、ＡＣＣ回路１１出力が非安定状態のときに生じていたテレビ画面上の過渡的なノイズを防ぐことを可能とする。
【００４３】
なお、本実施の形態１では、クロマキラー制御回路１８から出力されるクロマキラー信号がＯＮの場合、セレクタ１５を切り替え乗算器１４出力を選択し、これを復調する場合について説明したが、クロマキラーの信号状態と色差出力復調回路１９の働きはユーザの使用法に応じて変更することができ、例えば、クロマキラー信号がＯＮの場合には従来通り、Ｒ−Ｙ信号およびＢ−Ｙ信号の出力を止めるようにしても良い。
【００４４】
（実施の形態２）
図４は、本発明の実施の形態２にかかる色復調回路の概略構成を示す図である。
図４に示す色復調回路は、帯域通過フィルタ２０、ＡＣＣ回路２１、第１の増幅器（乗算器）２２、電界強度検出回路３０、弱電界検出信号生成回路３１、制御回路（ＣＰＵ）２３、第２の増幅器（乗算器）２４、セレクタ２５、クロマキラー生成回路２００、及び色差出力復調回路２９を備えたものである。
【００４５】
上記帯域通過フィルタ２０は、デジタル搬送色信号の色成分を抜き取る。
上記ＡＣＣ回路２１は、デジタル搬送色信号のバースト部分の信号振幅を検出し、該検出したバースト信号振幅が、予め色レベル設定信号により設定されたレベルになるよう自動制御する。
【００４６】
上記乗算器２２は、上記帯域通過フィルタ２０出力と上記ＡＣＣ回路２１出力とを乗算する。
上記電界強度検出回路３０は、テレビジョン信号の電界強度を検出する。
【００４７】
上記弱電界検出信号生成回路３１は、上記電界強度検出回路３０から出力される電界強度検出信号が、予め弱電界レベル設定信号により設定されたレベルに達していなければ、弱電界検出信号をＯＮにして出力する。
【００４８】
上記ＣＰＵ２３は、上記色レベル設定信号、上記電界強度検出信号、及び上記弱電界検出信号をモニタし、弱電界状態モニタ信号として出力する。弱電界状態モニタ信号とは、乗算器２４に入力される乗数を示し、この乗数は、色レベル設定信号＝弱電界状態モニタ信号（乗算器２４の乗数）×帯域通過フィルタ２０出力、の関係が成り立つように決定されるものである。
【００４９】
上記乗算器２４は、上記帯域通過フィルタ２０出力と上記弱電界状態モニタ信号とを乗算する。
上記セレクタ２５は、弱電界検出信号に基づいて上記乗算器２２出力または上記乗算器２４出力を選択する。
【００５０】
上記クロマキラー生成回路２００は、クロマキラー信号を生成し出力するものであり、位相キラー検出回路２６と振幅キラー検出回路２７とクロマキラー制御回路２８とを有する。上記位相キラー検出回路２６は、乗算器２２で振幅調整された搬送色信号、または乗算器２４で振幅調整された搬送色信号のバースト部分の位相状態を検出し、このバースト位相が一定の位相状態を保っていなければ位相キラー検出信号を出力する。上記振幅キラー検出回路２７は、ＡＣＣ回路２１出力から振幅調整された搬送色信号のバースト部分の振幅検出し、このバースト振幅が一定のレベルまでに達しなければ振幅キラー検出信号を出力する。上記クロマキラー制御回路２８は、上記位相キラー検出信号、及び上記振幅キラー検出信号に基づいてバースト信号状態を判断し、クロマキラー信号を出力する。
【００５１】
上記色差出力復調回路２９は、上記クロマキラー生成回路２００にて生成したクロマキラー信号に基づいて乗算器２２出力を色差信号（Ｒ−Ｙ信号、Ｂ−Ｙ信号）に復調し出力する。
【００５２】
次に、本実施の形態２の色復調回路の動作について説明する。
色復調回路に入力された搬送色信号は、帯域通過フィルタ２０にて色成分が抜き取られる。抜き取られた色成分は、ＡＣＣ回路２１及び乗算器２２により振幅調整される。振幅調整された信号（乗算器２２出力）は、セレクタ２５及び色差出力復調回路２９に入力される。また、ＡＣＣ回路２１出力は、振幅キラー検出回路２７に入力される。
【００５３】
ＣＰＵ２３では、色レベル設定信号と、弱電界検出信号生成回路３１から出力される弱電界検出信号をモニタし、弱電界検出信号がＯＮのとき、上記色レベル設定信号と、電界強度検出回路３０から出力される電界強度検出信号とに基づいて、弱電界状態モニタ信号を乗算器２４に出力する。
【００５４】
上記弱電界検出信号生成回路３１から出力される弱電界検出信号がＯＦＦの場合は、セレクタ２５により乗算器２２出力が選択され、上記弱電界検出信号がＯＮの場合は、セレクタ２５により乗算器２４出力が選択され、位相キラー検出回路２６に入力される。
【００５５】
位相キラー検出回路２６では、上記セレクタ２５出力について位相キラー検出を行い、振幅キラー検出回路２７では、上記ＡＣＣ回路２１出力について振幅キラー検出を行う。そして、クロマキラー制御回路２８では、上記位相キラー検出、及び上記振幅キラー検出の結果に基づき、クロマキラー信号が生成される。
【００５６】
色差出力復調回路２９では、クロマキラー信号がＯＦＦのとき、乗算器２２出力から色差信号を復調し、クロマキラー信号がＯＮのとき、色差信号の出力を止める。
【００５７】
次に、本実施の形態２の色復調回路における、ＣＰＵ２３及びセレクタ２５の動作について、図５を用いて説明する。なお、ステップＳ２０１〜Ｓ２０５まではＣＰＵ２３の動作を示し、ステップＳ２０６〜Ｓ２０７はセレクタ２５の動作を示している。
【００５８】
まず、ＣＰＵ２３は、色レベル設定信号を読み込む（ステップＳ２０１）。さらに、弱電界検出信号を弱電界検出信号生成回路３１から読み込み（ステップＳ２０２）、テレビジョン信号の電界強度を監視する（ステップＳ２０３）。
【００５９】
ステップＳ２０３において、テレビジョン信号が弱電界状態（電界強度が弱い状態）であることを検出した場合、すなわち、上記弱電界検出信号がＯＮである場合、ＣＰＵ２３は、電界強度検出回路３０より電界強度検出信号を読み込んでセットし（ステップＳ２０４）、色レベル設定信号と電界強度検出信号とに基づいて演算した値を、弱電界状態モニタ信号として乗算器２４に出力する（ステップＳ２０５）。また、セレクタ２５は、乗算器２４の出力を選択し位相キラー検出回路２６に入力する（ステップＳ２０６）。
【００６０】
一方、ステップＳ２０３において、テレビジョン信号が通常の電界状態であることを検出した場合、すなわち、上記弱電界検出信号がＯＦＦである場合、セレクタ２５は、乗算器２２の出力を選択し、位相キラー検出回路２６に入力する（ステップＳ２０７）。
【００６１】
このようにセレクタ２５により位相キラー検出回路２６への出力信号を切替えることにより、弱電界状態でのＡＣＣ回路２１出力の非安定性から生じる位相キラーの誤検出を防止することができる。
【００６２】
このような実施の形態２では、ＡＣＣ回路２１出力に依存しない乗算器２４を設け、搬送色信号の電界状態に応じて位相キラー検出回路２６への入力を制御するようにしたので、ＡＣＣ回路２１出力の状態が非安定状態のときには、ＡＣＣ回路２１出力に依存しない乗算器２４出力を、位相キラー検出回路２６に入力し、ＡＣＣ回路２１出力の状態にかかわらず、一定振幅の搬送色信号を位相キラー検出回路２６に安定して供給することができ、その結果、位相キラーの誤検出を防ぐことを可能とする。
【００６３】
なお、本実施の形態２では、クロマキラー制御回路２８から出力されるクロマキラー信号がＯＮの場合、色差出力復調回路２９による色差出力を止める場合について説明したが、クロマキラーの信号状態と色差出力復調回路２９の働きはユーザの使用法に応じて変更することができ、例えば、クロマキラー検出のみを行い、色差出力はそのまま色差出力復調回路２９から出力させるようにしても良い。
【産業上の利用可能性】
【００６４】
本発明による色復調回路は、搬送色信号の電界状態の変化によらず安定した色差復調出力およびキラー検出を可能にし、テレビ信号処理における色復調回路に有用である。
【符号の説明】
【００６５】
１    帯域通過フィルタ
２    ＡＣＣ回路
３    乗算器
４    位相キラー検出回路
５    振幅キラー検出回路
６    クロマキラー制御回路
７    色差出力復調回路
１０  帯域通過フィルタ
１１  ＡＣＣ回路
１２  乗算器
１３  ＣＰＵ
１４  乗算器
１５  セレクタ
１６  位相キラー検出回路
１７  振幅キラー検出回路
１８  クロマキラー制御回路
１９  色差出力復調回路
２０  帯域通過フィルタ
２１  ＡＣＣ回路
２２  乗算器
２３  ＣＰＵ
２４  乗算器
２５  セレクタ
２６  位相キラー検出回路
２７  振幅キラー検出回路
２８  クロマキラー制御回路
２９  色差出力復調回路
３０  電界強度検出回路
３１  弱電界検出信号生成回路
１００  クロマキラー生成回路
２００  クロマキラー生成回路
【図１】
2010093848.tif 000003
【図２】
2010093848.tif 000004
【図３】
2010093848.tif 000005
【図４】
2010093848.tif 000006
【図５】
2010093848.tif 000007
【図６】
2010093848.tif 000008